(57)【特許請求の範囲】
【請求項１】
透液性の表面シートと、不透液性の裏面シートと、前記表面シートと前記裏面シートとの間に介装される吸収体と、を有する本体部と、装着時に装着者の背側に位置する前記本体部の背側部の両側方に延出した一対のテープ部と、前記一対のテープ部を係止させるためのターゲット部と、を備えるテープ式の吸収性物品であって、
装着時に装着者の腹側に位置する前記本体部の腹側部と前記背側部の間に位置する前記本体部の股下部の両縁部から、装着時に装着者の脚周りに位置する脚周り部を経由して、前記一対のテープ部の少なくとも前記本体部から突出した位置まで連続して配置された脚周り弾性部材と、
前記脚周り弾性部材よりも幅方向中央よりに、前記腹側部から前記背側部に亘って設けられた股下部弾性部材と、を備え、
前記股下部弾性部材は、前記股下部の両縁部から、前記脚周り部を経由して、前記一対のテープ部の少なくとも前記本体部から突出した位置まで連続して配置されると共に、前記腹側部の前記股下部よりも両外側に延出した腹側延出部において前記ターゲット部の側方で長手方向に沿って直線状に配置されていることを特徴とする吸収性物品。
【請求項２】
前記脚周り弾性部材及び前記股下部弾性部材を単位長さ伸縮させるのに必要な伸縮力は、前記テープ部に位置する部位、前記脚周り部に位置する部位、及び前記股下部に位置する部位の順番で、小さくなっていることを特徴とする請求項１に記載の吸収性物品。
【請求項３】
一方の前記テープ部から前記背側部を経由して、他方の前記テープ部に亘って幅方向に沿って直線上に配置された背側弾性部材を備えたことを特徴とする請求項１又は２に記載の吸収性物品。
【発明の詳細な説明】
【技術分野】
【０００１】
本発明は、吸収性物品に関する。
【背景技術】
【０００２】
従来より、使い捨ての紙おむつに代表される吸収性物品が知られている。使い捨ての紙おむつとしては、一般的に、パンツ型及びテープ式紙おむつが知られている。このうちテープ式紙おむつには、透液性の表面シートと、不透液性の裏面シートと、表面シートと裏面シートとの間に介装される吸収体と、を備えた本体部と、この本体部の背側部の両側方に延出した一対のテープ部と、が備えられている。また、テープ式紙おむつには、装着者に密着させ体液の漏れ防止を図るために、装着者の胴回りに沿った部位や脚周りに沿った部位、股下部等に糸ゴム等の弾性部材が備えられている（例えば、特許文献１参照）。
【特許文献１】特開平９−１０２６０号公報
【発明の開示】
【発明が解決しようとする課題】
【０００３】
しかしながら、このようなテープ式紙おむつは、装着者が上げ下げした場合に胴回りの周長の変化により胴回りの糸ゴムばかりが伸縮してしまい、脚周りに沿った部位や股下部等が連動しにくく紙おむつのフィット性が悪くなるという問題を有していた。
【０００４】
本発明の課題は、テープ式紙おむつを装着者が上下に上げ下げした場合に、そのフィット性を向上させることのできる吸収性物品を提供することである。
【課題を解決するための手段】
【０００５】
前記課題を解決するために、請求項１に記載の発明は、
透液性の表面シートと、不透液性の裏面シートと、前記表面シートと前記裏面シートとの間に介装される吸収体と、を有する本体部と、装着時に装着者の背側に位置する前記本体部の背側部の両側方に延出した一対のテープ部と、前記一対のテープ部を係止させるためのターゲット部と、を備えるテープ式の吸収性物品であって、
装着時に装着者の腹側に位置する前記本体部の腹側部と前記背側部の間に位置する前記本体部の股下部の両縁部から、装着時に装着者の脚周りに位置する脚周り部を経由して、前記一対のテープ部の少なくとも前記本体部から突出した位置まで連続して配置された脚周り弾性部材と、
前記脚周り弾性部材よりも幅方向中央よりに、前記腹側部から前記背側部に亘って設けられた股下部弾性部材と、を備え、
前記股下部弾性部材は、前記股下部の両縁部から、前記脚周り部を経由して、前記一対のテープ部の少なくとも前記本体部から突出した位置まで連続して配置されると共に、前記腹側部の前記股下部よりも両外側に延出した腹側延出部において前記ターゲット部の側方で長手方向に沿って直線状に配置されていることを特徴とする。
【０００８】
請求項２に記載の発明は、請求項１に記載の吸収性物品において、
前記脚周り弾性部材及び前記股下部弾性部材を単位長さ伸縮させるのに必要な伸縮力は、前記テープ部に位置する部位、前記脚周り部に位置する部位、及び前記股下部に位置する部位の順番で、小さくなっていることを特徴とする。
【０００９】
請求項３に記載の発明は、請求項１又は２に記載の吸収性物品において、
一方の前記テープ部から前記背側部を経由して、他方の前記テープ部に亘って幅方向に沿って直線上に配置された背側弾性部材を備えたことを特徴とする。                                                 
【発明の効果】
【００１０】
本発明によれば、股下部と、脚周り部と、テープ部と、にわたって連続的に配置される脚周り弾性部材が備えられているため、紙おむつを装着者が上げ下げした場合に、股下部、脚周り部、テープ部が連動して伸縮することとなり、装着時のフィット性を高めることができる。
【発明を実施するための最良の形態】
【００１１】
以下、本発明の実施の形態を、図面を参照しながら詳細に説明する。
本実施の形態では、吸収性物品として、特に、成人用の使い捨て紙おむつを一例として、以下で説明する。
【００１２】
図１は、本実施の形態における使い捨て紙おむつを、裏面シートを上面にして展開した平面展開図であり、図２は、表面シートを上面にして展開した平面展開図である。また、図３は、図２のIII−III線における使い捨て紙おむつの要部断面図であり、図４は、使い捨て紙おむつを装着時の状態に組立てた斜視図である。
【００１３】
使い捨て紙おむつ（以下、紙おむつという。）１は、本体部としての紙おむつ本体１０と、この紙おむつ本体１０を人体に装着するためのテープ部２０、２０と、テープ部２０を係止させるためのターゲット部３０とを備えている。
【００１４】
紙おむつ本体１０は、人体との接触面側に設けられる透液性の不織布等からなる表面シート１０ａと、装着時に外部側に設けられる不透液性の裏面シート１０ｂと、表面シート１０ａと裏面シート１０ｂとの間に介装される吸収体１２と、表面シート１０ａ側の吸収体１２の両側部に、紙おむつ本体１０の長手方向に沿って備えられるギャザーシート１３、１３と、を備えている。
ここで、内側とは、紙おむつ１の幅方向の中央側をいい、外側とは、紙おむつ１の幅方向の中央から離れる側をいう。また、長手方向とは、紙おむつ本体１０の長尺な方向をいい、幅方向とは、紙おむつ本体１０の短尺な方向をいう。
【００１５】
紙おむつ本体１０は、装着時に装着者の股部を腹側から背側にかけて覆うように、一方の端部に腹側部１５が形成され、他方の端部に背側部１６が形成されている。腹側部１５と背側部１６との間は、内側に凹むように形成された股下部１７となっている。
股下部１７の両縁部からは、背側部１６に向かって、装着された際に装着者の脚の周り後方を囲むように位置する後脚周り部（脚周り部）１８、１８が形成され、腹側部１５に向かって、装着された際に装着者の脚の周り前方を囲むように位置する前脚周り部１９、１９が形成されている。
【００１６】
そして、紙おむつ本体１０の腹側部１５の端部１５１と、背側部１６の端部１６１とは、紙おむつ１が装着された際に、胴周りを形成するようになっている。特に、胴周りを形成する部分として、腹側部１５において股下部１７よりも両外側に延出した腹側延出部１５２、１５２と、背側部１６において股下部１７よりも両外側に延出した背側延出部１６２、１６２とが形成されている。
また、背側部１６の背側延出部１６２、１６２の側縁部１６３、１６３には、それぞれ外側に突出したテープ部２０、２０が設けられている。
【００１７】
テープ部２０、２０は、例えば、不織布等からなる２枚のシートが重ね合わされて形成されており、その内側が背側部１６の延出部１６２、１６２と重なる重複部Ｗ１となり、その外側が背側部１６の延出部１６２、１６２の左右側方に突出する突出部Ｗ２となるように設けられている（図５参照）。そして、テープ部２０、２０の両側部は、さらに外側に凸状に突出した凸部２１、２１が長手方向に各々２つずつ設けられている。凸部２１、２１には、それぞれ面ファスナの雄部材であるファスニング部材としてのファスニングテープ２２が取り付けられている。
この４つのファスニングテープ２２・・・が、腹側部１５の裏面シート１０ｂ上に備えられている面ファスナの雌部材であるターゲット部３０に係止するようになっている。
また、テープ部２０、２０には、背側延出部１６２、１６２の側縁部１６３、１６３からテープ部２０、２０の側縁部２４、２４に至るように配置された複数本のテープ部弾性部材２６・・・が設けられている。
【００１８】
背側部１６の長手方向の縁部１６４には、一方のテープ部２０の長手方向の端部２４から背側部１６の側縁部１６３を経由して、他方のテープ部２０の長手方向の端部２４に亘って直線上に配置された糸ゴム等からなる背側弾性部材２ａが複数（例えば、２本）設けられており、この背側弾性部材２ａにより平面ギャザー１６５が形成され、装着者の胴周りにフィットするように伸縮自在な構成となっている。なお、この背側弾性部材２ａは一方のテープ部２０の幅方向の端部２４から他方のテープ部２０の幅方向の端部２４まで連続して設けられている。
【００１９】
吸収体１２は、紙おむつ１の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
【００２０】
ギャザーシート１３、１３は、表面シート１０ａ側に、股下部１７においては、吸収体１２の中央部１２ａを挟む幅方向の両側部に、腹側部１５の長手方向の縁部１５４から背側部１６の長手方向の縁部１６４に亘ってそれぞれ備えられている。
【００２１】
このギャザーシート１３、１３の幅方向外側の部分は、図３に示すように、裏面シート１０ｂの表面シート１０ａ側の面に固着されており、吸収体１２の側方で表面シート１０ａ側に周り込むようにして表面シート１０ａの上面に固着されている。そして、このギャザーシート１３の幅方向内側の部分は、表面シート１０ａに固定されておらず自由部１３１となっており、このギャザーシート１３により、断面略く字状及び逆字状に立ち上がった立体ギャザーＧが形成される。
ここで、ギャザーシート１３が裏面シート１０ｂ及び表面シート１０ａと固定される部分を固定部１３２といい、固定部１３２と自由部１３１との境目を基端部１３３とする。
【００２２】
ギャザーシート１３の自由部１３１には、ギャザーシート１３の長手方向に沿って、複数の糸ゴム（弾性部材）１３ｃが略平行に備えられ、この糸ゴム１３ｃにより立体のギャザーシート１３は、装着者の体型に合わせて伸縮自在に変形し、装着者にフィットしやすい構造となっている。
【００２３】
固定部１３２において、ギャザーシート１３、１３と裏面シート１０ｂとの間には、糸ゴム等からなる２本の脚周り弾性部材２ｂ、２ｂが設けられ、脚周り弾性部材２ｂ、２ｂよりも幅方向中央よりには、糸ゴム等からなる２本の股下部弾性部材２ｃ、２ｃが設けられている。
【００２４】
脚周り弾性部材２ｂ、２ｂ及び股下部弾性部材２ｃ、２ｃは、股下部１７における固定部１３２の両縁部から、後脚周り部１８、１８の両縁部をその湾曲形状に沿うよう経由して背側部１６の背側延出部１６２、１６２に至り、テープ部２０、２０の２枚のシートの間まで連続して配置されている。
このとき、脚周り弾性部材２ｂ、２ｂ及び股下部弾性部材２ｃ、２ｃは、テープ部２０、２０において重複部Ｗ１だけでなく、突出部Ｗ２まで連続するように設けられている。すなわち、脚周り弾性部材２ｂ、２ｂ及び股下部弾性部材２ｃ、２ｃは、テープ部２０、２０の少なくとも本体部から突出した位置まで連続して配置されている。
また、股下部弾性部材２ｃ、２ｃは、股下部１７における固定部１３２の両縁部から、前脚周り部１９、１９の両縁部をその湾曲形状に沿うよう経由して腹側部１５に至り、腹側延出部１５２、１５２において長手方向に沿って直線状となるように配置されている。
【００２５】
この脚周り弾性部材２ｂ、２ｂ及び股下部弾性部材２ｃ、２ｃにより平面ギャザー１３７、１３７が形成され、装着者の脚周りに伸縮自在にフィットし、横漏れを防止するようになっている。
【００２６】
脚周り弾性部材２ｂ、２ｂ及び股下部弾性部材２ｃ、２ｃによる伸縮力（Ｎ／ｍｍ）は、テープ部２０、２０に位置する部位、後脚周り部１８、１８に位置する部位、股下部１７に位置する部位の順番で小さくなるように構成されている。
ここで、図５に示すように、テープ部２０、２０に位置する部位を領域A、後脚周り部１８、１８に位置する部位を領域Ｂ、股下部１７に位置する部位を領域Ｃとし、伸縮力（Ｎ／ｍｍ）は、単位長さ伸縮させるのに必要な力とする。
【００２７】
すなわち、脚周り弾性部材２ｂ、２ｂ及び股下部弾性部材２ｃ、２ｃによる伸縮力は、領域Ａにおいて最も大きく、領域Ｃにおいて最も小さくなるように設定されている。これにより、同じ力で引っ張った場合に、領域Ｃが最も伸びるようになっている。
具体的には、領域Ａにおいて、脚周り弾性部材２ｂ、２ｂ及び股下部弾性部材２ｃ、２ｃは全て伸縮するようになっており、領域Ｂにおいて、脚周り弾性部材２ｂ、２ｂ及び股下部弾性部材２ｃ、２ｃのうち１本は伸縮しないよう制御されている。また、領域Ｃにおいて、脚周り弾性部材２ｂ、２ｂ及び股下部弾性部材２ｃ、２ｃのうち２乃至３本は伸縮しないよう制御されている。
【００２８】
伸縮力を制御する方法の１つとして、脚周り弾性部材２ｂ、２ｂ及び股下部弾性部材２ｃ、２ｃを固着するのに、Ａ、Ｂ、及びＣのそれぞれの領域で異なる接着剤塗布方法が用いられている。
例えば、領域Ａにおいては、２枚のシートの間で接着剤がスパイラル状に塗布されており、領域Ｂにおいては、ギャザーシート１３、１３と裏面シート１０ｂとの間で接着剤がカーテンコート塗布されており、領域Ｃにおいては、ギャザーシート１３、１３と裏面シート１０ｂとの間で接着剤がベタ状に塗布されている。このように、それぞれの領域で異なる塗布方法を用いて接着剤の密度を変化させることで、脚周り弾性部材２ｂ、２ｂ及び股下部弾性部材２ｃ、２ｃの伸縮力が制御されている。
【００２９】
なお、伸縮力が最も大きい領域Ａにおいては脚周り弾性部材２ｂ、２ｂ及び股下部弾性部材２ｃ、２ｃに接着剤を塗布せず、伸縮力が最も小さい領域Ｃにおいては脚周り弾性部材２ｂ、２ｂ及び股下部弾性部材２ｃ、２ｃのうち複数本を固着し、領域Ｂにおいては脚周り弾性部材２ｂ、２ｂ及び股下部弾性部材２ｃ、２ｃのうち１本を固着させることとしても良い。
【００３０】
また、伸縮力が最も大きい領域Ａにおいては脚周り弾性部材２ｂ、２ｂ及び股下部弾性部材２ｃ、２ｃをカットせず、伸縮力が最も小さい領域Ｃにおいて脚周り弾性部材２ｂ、２ｂ及び股下部弾性部材２ｃ、２ｃのうち複数本をカットし、領域Ｂにおいて脚周り弾性部材２ｂ、２ｂ及び股下部弾性部材２ｃ、２ｃのうち１本をカットすることとしても良い。
【００３１】
次に、本実施形態の作用について説明する。
おむつ１の装着時において、脚周り弾性部材２ｂ、２ｂ及び股下部弾性部材２ｃ、２ｃは、股下部１７、後脚周り部１８、１８、テープ部２０、２０の重複部Ｗ１、及びテープ部２０、２０の突出部Ｗ２にわたって連続して設けられているため、装着者が紙おむつ１を上げ下げした場合に股下部１７と、後脚周り部１８、１８と、テープ部２０、２０とが連動して伸縮することとなる。
【００３２】
このとき、脚周り弾性部材２ｂ、２ｂ及び股下部弾性部材２ｃ、２ｃの伸縮力は、テープ部２０、２０、後脚周り部１８、１８、及び股下部１７、の位置に応じて変化するため、紙おむつ１の伸縮が装着者の動きに追従することとなる。
具体的には、その伸縮力は、テープ部２０、２０に位置する部位（領域Ａ）において最も大きく、股下部１７に位置する部位（領域Ｃ）において最も小さくなるように設定されているため、股下部１７が優先的に伸縮する。
【００３３】
また、腹側部１５において、股下部弾性部材２ｃ、２ｃが、長手方向に沿って直線状に配置されているため、装着者が紙おむつ１を上げ下げする場合に、紙おむつ１が長手方向の力に追従しやすくなる。
【００３４】
以上のように、本発明によれば、股下部１７と、後脚周り部１８、１８と、テープ部２０、２０の重複部Ｗ１と、テープ部２０、２０の突出部Ｗ２と、にわたって連続的に配置される脚周り弾性部材２ｂ、２ｂ及び股下部弾性部材２ｃ、２ｃが備えられているため、紙おむつ１を装着者が上下に上げ下げした場合に、股下部１７の糸ゴムも連動して伸縮することとなり、装着時のフィット性を高めることができる。
【００３５】
また、腹側部１５において、長手方向に沿って直線状に配置される股下部弾性部材２ｃ、２ｃによって、紙おむつ１が長手方向の力に追従して動きやすくなるため、股下部１７に隙間が生じずらく、股下部１７の密着性を高めることができる。
また、脚周り弾性部材２ｂ、２ｂ及び股下部弾性部材２ｃ、２ｃの伸縮力が、領域Ａ、Ｂ、及びＣによって異なり股下部１７が優先的に伸縮するため、股下部１７のフィット性をより高めることができる。
【００３６】
また、一方のテープ部２０から背側部１６を経由して、他方のテープ部２０に亘って直線上に配置された背側弾性部材２aを備えることで、装着者の胴周りへの密着性をより高めることができる。
【００３７】
従って、紙おむつ１全体の弾性部材が連動して伸縮するため、装着時のフィット性が高まり、紙おむつ１の一部に過度な締め付けや浮きが生じるのを防止することができ、横向き、仰向け共に漏れ防止の効果が極めて高い。
【００３８】
なお、腹側部１５側においても、脚周り弾性部材２ｂ、２ｂ及び股下部弾性部材２ｃ、２ｃの伸縮力を、股下部１７に位置する部位、前脚周り部１９、１９に位置する部位に応じて変化させるようにしても良い。すなわち、前脚周り部１９、１９に位置する部位と比較して、股下部１７を優先的に伸縮させるように構成することもできる。
【００３９】
また、脚周り弾性部材２ｂ、２ｂ、股下部弾性部材２ｃ、２ｃは、必ずしもテープ部２０、２０の突出部Ｗ２の幅方向端部まで設ける必要はなく、突出部Ｗ２の途中まで設けられた構造であっても良い。
また、本実施形態においては、脚周り弾性部材２ｂ、２ｂ及び股下部弾性部材２ｃ、２ｃの両方がテープ部２０、２０の重複部Ｗ１及び突出部Ｗ２にわたって連続しても設けられることとしているが、少なくとも脚周り弾性部材２ｂ、２ｂが突出部Ｗ２の一部にまで連続するように設けられていれば良い。
その他、本発明が上記実施の形態に限らず適宜変更可能であるのは勿論である。
【図面の簡単な説明】
【００４０】
【図１】本発明を適用した紙おむつ１の裏面シートを上面にして展開した平面展開図である。
【図２】図１の紙おむつ１の表面シートを上面にして展開した平面展開図である。
【図３】図２の紙おむつ１のIII−III線における断面図である。
【図４】図１の紙おむつ１を装着時の状態に組立てた斜視図である。
【図５】脚周り弾性部材２ｂ、２ｂ及び股下部弾性部材２ｃ、２ｃの伸縮力の変化を説明するための図である。
【符号の説明】
【００４１】
１  紙おむつ
２ａ  背側弾性部材
２ｂ  脚周り弾性部材
２ｃ  股下部弾性部材
１０  紙おむつ本体（本体部）
１０ａ  表面シート
１０ｂ  裏面シート
１２  吸収体
１２ａ  中央部
１３、１３  ギャザーシート
１３１  自由部
１３２  固定部
１３３  基端部
１３ｃ  糸ゴム
１５  腹側部
１５１  端部
１５２、１５２  腹側延出部
１５４  長手方向の縁部
１６  背側部
１６１端部
１６２、１６２  背側延出部
１６３、１６３  側縁部
１６４  長手方向の縁部
１６５  平面ギャザー
１７  股下部
１８、１８  後脚周り部
１９、１９  前脚周り部
２０、２０  テープ部
２１、２１  凸部
２２        ファスニングテープ
２４、２４  側縁部
Ｗ１  重複部
Ｗ２  突出部
３０ターゲット部
【図１】
0005133757.tif 000002
【図２】
0005133757.tif 000003
【図３】
0005133757.tif 000004
【図４】
0005133757.tif 000005
【図５】
0005133757.tif 000006